(57)【要約】【課題】防護用ネットを分離することなく格納容積をコンパクト化でき、隣接する防護用ネット面を１８０度以下の範囲で回動自在とし、しかも、複雑な分離や、組付けの作業が伴わないこと。【解決手段】防球ネット３０の垂直辺のフレーム３５ｄと接続すると共に、防球ネット３０の底辺のフレーム３５ａとを接続自在とした９０度湾曲するコーナ接続部３６ａと、下方が防球ネット３０の面に対して表側と裏側に伸び、上方がコーナ接続部３６ａを挟持するように上に伸びてコーナ接続部３６ａと一体に接続された一体脚部４０と、防球ネット３０の垂直辺のフレーム３５ｄに配設された係合受入部５０と、隣接するティーネット２０の垂直辺のフレーム２５ｂに配設され、係合受入部５０と嵌合し、１８０度内の回動が自在な円筒孔の係合嵌合部６０及び隣接するスポーツ用ネットの垂直辺のフレーム２６ｂに接続されると共に、隣接するティーネット２０のフレーム２５に接続自在とした９０度湾曲された他のコーナ接続部２６ｂとを具備する。【選択図】図３
2015043934.tif 000002
【特許請求の範囲】
【請求項１】
スポーツ用ネットの垂直辺の一方のフレーム端部を接続すると共に、前記スポーツ用ネットの底辺の一方のフレーム端部とを接続自在とした９０度湾曲されたコーナ接続部と、
前記コーナ接続部と一体に接続され、下方が前記スポーツ用ネットの面に対して表側と裏側に伸び、上方が前記コーナ接続部を挟持するように上に伸びた一体脚部と、
前記スポーツ用ネットの前記垂直辺の一方のフレームまたは前記コーナ接続部に配設された係合受入部と、
隣接するスポーツ用ネットの前記垂直辺の一方のフレームまたは前記コーナ接続部に配設され、前記係合受入部と嵌合し、１８０度内の回動が自在な係合嵌合部と、
一体に接続された前記コーナ接続部と一体脚部とは、一体に接続されず、前記隣接するスポーツ用ネットの垂直辺の一方のフレーム端部に接続されると共に、前記隣接するスポーツ用ネットの底辺の一方のフレーム端部に接続自在とした９０度湾曲された他のコーナ接続部と
を具備することを特徴とするスポーツ用ネットの接続脚。
【請求項２】
前記スポーツ用ネットの垂直辺のフレーム端部及び底辺のフレーム端部並びに前記隣接するスポーツ用ネットの垂直辺のフレーム端部及び底辺のフレーム端部には、ボルト止め可能な棒鋼の一部を挿入固着し、他部を突出させてなる前記棒鋼からなる突出部を形成し、前記突出部を前記コーナ接続部に挿入し、前記コーナ接続部に前記突出部を螺止するボルトを配設したことを特徴とする請求項１に記載のスポーツ用ネットの接続脚。
【請求項３】
前記スポーツ用ネットの前記垂直辺の一方のフレームに配設された係合受入部、隣接するスポーツ用ネットの前記垂直辺の一方のフレームに配設され、前記係合受入部と嵌合する係合嵌合部は、それらスポーツ用ネットまたは隣接するスポーツ用ネットの垂直辺のフレーム端部に挿入固着した棒鋼及びそれらのフレーム端部と共に溶接したことを特徴とする請求項１または請求項２に記載のスポーツ用ネットの接続脚。
【請求項４】
前記コーナ接続部を挟持するように接続された一体脚部は、その上端に棒鋼を挿入し、前記コーナ接続部の周囲に一体脚部の２本の脚部及び前記棒鋼を一体に溶接したことを特徴とする請求項１乃至請求項３のいずれか１つに記載のスポーツ用ネットの接続脚。
【発明の詳細な説明】
【技術分野】
【０００１】
本発明は、野球、テニス、ソフトボール、ゴルフ等の球技の練習用のスポーツ用ネットに関するもので、例えば、野球においては投手により投球された球が打撃されたとき、この球が投手に衝突することを防止するようにしたスポーツ用ネットに使用されるスポーツ用ネットの接続脚に関するものである。
【背景技術】
【０００２】
例えば、野球練習における投手保護用ネット装置には、特許文献１の発明がある。
即ち、鉛直方向に延び投手をその前方から覆うようグランド上に設置されるフレームと、このフレームの外縁部で囲まれた空間を閉じてこのフレームに取り付けられるネットとが設けられている。また、フレームが、その幅方向の一側方における側部を形成する主フレームと、この主フレームの下部から幅方向の他側方に突出してフレームの他側部を形成する副フレームを備えている。副フレームは、主フレームの下部に取付けられた固定フレームと、この固定フレームから上方に向けて突出可能に設けられる可動フレームとを備え、副フレームの上縁部の高さが調整可能とされている。
この投手保護用ネット装置を用いて野球の打撃練習をする場合には、まず、投手の前方近傍におけるグランド上に設置される。投手は背が高い場合や低い場合があり、このため、打者の打撃ゾーンに向って各投手により投球される球は、より高い位置、もしくはより低い位置を通って前方に投球される。そこで、投球される球が副フレームの上縁部の上方近傍を通るようにこの副フレームの上縁部の高さが調整される。各投手の投球動作が副フレームによって邪魔されるということが防止される。
また、投球動作が終了して投手が前屈みの姿勢になったときには、各投手はそれぞれそのほぼ全体が投手保護用ネット装置により前方から覆われる。よって、投球直後に、打撃された球が投手に向って飛ぶとしても、この球は投手保護用ネット装置に衝突して、投手に衝突することが防止され、結果、投手が保護される。
この投手保護用ネット装置によれば、副フレームの上縁部の高さを調整可能とするために、この副フレームが、主フレームの下部に取り付けられる固定フレームと、この固定フレームから上方に向けて突出可能に設けられる可動フレームとを備えており、フレームの部品点数が多いことから、その構成が複雑となって、製造が煩雑になるという問題が指摘されている。また、その持ち運びの作業が煩雑になるという問題も指摘されている。
【０００３】
そこで、特許文献２の投手保護用ネット装置では、鉛直方向に延び投手をその前方から覆うようグランド上に設置されるフレームと、このフレームの外縁部で囲まれた空間を閉じてこのフレームに取付けられるネットとを設け、前記フレームがその幅方向の一側方における側部を形成する主フレームと、この主フレームの下部から前記幅方向の他側方に突出して前記フレームの他側部を形成する副フレームとを備えた野球練習における投手保護用ネット装置において、前記主フレームの上部の前記他側方における側縁部と、前記副フレームの上縁部とで挟まれた隅部空間を閉じると共に下方に向って撓み可能な延長ネットを設け、この延長ネットの上縁部の撓み量を調整可能とする調整手段を設けている。
このため、前記投手保護用ネット装置を利用する場合、投手の背の高さがいずれであっても、前記調整手段への操作により、前記延長ネットの上縁部の撓み量を調整して投球される球が前記上縁部の上方近傍を通るようこの上縁部の高さを所望位置に調整する。すると、前記延長ネットの上縁部が投球の邪魔になるということが防止されると共に、打撃された球に対し前記各投手が保護される。
そして、この投手保護用ネット装置では、投手の背の高さに応じて延長ネットの上縁部の高さを調整する場合、この調整は延長ネットの上縁部の撓みによって達成される。このため、前記調整のために固定フレームに対し可動フレームを用いていた従来の技術に比べて、そのフレームの部品数は少なくなる。よって、投手保護用ネット装置の構成が簡単になって、その製造が容易となる。また、フレームの部品数が少なくなると、その分、重量が軽くなって、その持ち運び等の運搬作業が容易にできる。
【０００４】
特許文献２においては、固定フレームに対し可動フレームを用いていた技術に比べて、そのフレームの部品数は少なくなり、投手保護用ネット装置の構成が簡単になって、その製造が容易となり、また、重量が軽くなって、その持ち運びの作業性が容易になる。ところが、各フレームを外す際に防護用ネットも分離する必要性から、分離及び組立てに要する時間が長くなり、単にフレームの部品数が少なくなっても作業性からみるとあまり得策ではない。
【０００５】
これらの技術的問題を意識した特許文献３の発明には、投手保護用ネット装置を収納状態や使用状態にする際の作業が容易にできるようにし、狭いところを通して所望位置までの移動も容易にできるようにする技術が開示されている。  即ち、この投手保護用ネット装置は、地面上に複数並設されてそれぞれがほぼ水平な一方向に向って延びる脚部と、これら脚部の上方で一方向にほぼ直交する仮想平面に沿うよう配設される枠体と、この枠体の下部を各脚部のそれぞれ長手方向の中途部に支持させる支持具と、前記枠体で囲まれた空間を閉じてこの枠体に取り付けられる飛球止めネットとを備え、前記支持具が、脚部の長手方向の中途部から上方に向けて突出する支持パイプと、前記枠体の下部から下方に向けて突出し前記支持パイプと嵌脱自在に嵌合する他の支持パイプと、一端部がこれら両支持パイプのうちの一方の支持パイプに嵌入されて係止される一方、他端部が他方の支持パイプに嵌脱自在に嵌入されてその内周面に圧接する弾性の係止体を備え、前記他方の支持パイプの内周面と、この内周面に圧接する前記係止体の他端部とを前記他方の支持パイプの軸心周りで相対的に摺動可能とさせたものである。
【０００６】
このため、投手保護用ネット装置をその収納状態と使用状態のうちのいずれか一方から他方の状態にさせようとして、各脚部に枠体を着脱させる場合には、両支持パイプに係止体の一端部と他端部とを単に嵌脱させればよい。よって、投手保護用ネット装置をその収納状態と使用状態のうちのいずれか一方から他方の状態にさせる際の作業は、締結具への弛緩、締結操作を行っていた従来に比べて、より容易となる。他方の支持パイプの内周面と、この内周面に圧接する係止体の他端部とを他方の支持パイプの軸心周りで相対的に摺動可能であるから、平面視で投手保護用ネット装置の枠体に対する各脚部の角度を変化させれば、投手保護用ネット装置の脚部と、この投手保護用ネット装置に隣接される他の投手保護用ネット装置の脚部との互いの干渉を避けて、両投手保護用ネット装置の各枠体を互いに接近させることができ、かつ、これら枠体の互いの角度を種々選択でき、もって、投手保護用ネット装置の設置自由度が向上する。
また、投手保護用ネット装置の不使用時に、狭いところを通して格納するときには、他方の支持パイプの内周面と、この内周面に圧接する前記係止体の他端部とを互いに前記他方の支持パイプの軸心周りで摺動させ、つまり、前記枠体に対し前記軸心周りで各脚部を回動させて、平面視で、前記枠体のほぼ延長線上に前記各脚部を位置させる。すると、投手保護用ネット装置の前記一方向における厚さ寸法が小さくなり、投手保護用ネット装置を狭いところを通して移動することができる。
【先行技術文献】
【特許文献】
【０００７】
【特許文献１】実公平７−１９４８７号公報
【特許文献２】特開２００１−２０４８６９号公報
【特許文献３】特開２００１−７９１３５号公報
【発明の概要】
【発明が解決しようとする課題】
【０００８】
このように、特許文献１には、投手保護用ネット装置を用いて野球の打撃練習をする場合、打者の打撃ゾーンに向って各投手により投球される球は、より高い位置若しくは低い位置を通って前方に投球されるが、投球される球が副フレームの上縁部の上方近傍を通るように高さが調整され、各投手の投球動作が副フレームによって邪魔されるということが防止される技術を開示している。
また、特許文献２には、そこで使用する投手保護用ネット装置の分解の技術であるが、分解したときの部品数は少なくなり、投手保護用ネット装置の構成が簡単になっているが、各フレームから防護用ネットも分離すると分離及び組立てに要する時間が長くなり、効率的な分解組み立てを行うことにならない。
そして、特許文献３には、各フレームと防護用ネットとの接続を分離組み立ての際に行う必要がないから効率的な分離組み立てができる。しかし、防護用ネットを一列に並べる場合には、転倒に対する考慮がなされているが、２台以上の投手保護用ネット装置を隣接するとき脚が交差するか、その逃げを行うために転倒に対する抵抗が小さくなり、弱くならざるを得なかった。
【０００９】
そこで、本発明は、防護用ネットを分離することなく、格納容積を立てた状態でコンパクト化でき、隣接する防護用ネット面を１８０度以下の範囲で回動自在とし、しかも、複雑な分離や、組付けの作業が伴わないスポーツ用ネットの接続脚の提供を課題とするものである。
【課題を解決するための手段】
【００１０】
請求項１の発明にかかるスポーツ用ネットの接続脚は、スポーツ用ネットの垂直辺の一方のフレーム端部を接続すると共に、前記スポーツ用ネットの底辺の一方のフレーム端部と接続自在とした９０度湾曲されたコーナ接続部と、下方が前記スポーツ用ネットの面に対して表側と裏側に伸び、上方が前記コーナ接続部を挟持するように接続された一体脚部と、前記スポーツ用ネットの前記垂直辺の一方のフレームに配設された係合受入部と、隣接するスポーツ用ネットの前記垂直辺の一方のフレームの下部に配設され、前記係合受入部と嵌合し、１８０度の回動が自在な有底円筒の係合嵌合部と、前記隣接するスポーツ用ネットの垂直辺の一方のフレーム端部を接続されると共に、前記隣接するスポーツ用ネットの底辺のフレームの端部と接続自在とした９０度湾曲された他のコーナ接続部とを具備するものである。
【００１１】
ここで、上記スポーツ用ネットとその垂直辺のフレームとは、スポーツ用ネットは、野球、テニス、ゴルフ等の練習用の合成樹脂製のネットであり、機能的には、マシンネット、ティーネット、防球ネット等に分けることもあり、また、用途によってそのネット目のサイズが決定される。フレームは、例えば、投手により投球された球が打撃されたとき、その球が投手に衝突するのを防止し、トスされたボールを特定の範囲内の角度で飛球を許すようにしたネットの枠であり、野球、テニス、ゴルフ等の練習用の防護用ネットとして適当なテンションを設定できる金属製の枠体である。通常、四角形となっている。
また、上記９０度湾曲されたコーナ接続部は、原理的には直角に形成されるが、隅の面取りを行うことにより、スポーツ用ネットに対する張力を均一化している。現実には、接続自在とした２端によって垂直辺のフレームの端部及び低辺のフレームの端部が接続できればよい。なお、この接続は、垂直辺のフレームの端部及び低辺のフレームの端部にその内径に略等しい１５〜２０ｃｍの棒鋼(中実棒)を溶接し、７〜１０ｃｍだけ突出させた突出部をコーナ接続部の開口部に挿入し、ボルト締めにより接続するのが好ましい。
【００１２】
そして、上記下方がスポーツ用ネットの防護ネット面の表側と裏側に伸び、上方が前記コーナ接続部を挟持するように前記スポーツ用ネットの垂直辺の一方のフレーム端部に一体に接続された一体脚部は、スポーツ用ネットが垂直に立設容易にするものであり、スポーツ用ネットに対して９０度の角度で配設するものであれば、端部下または端部にキャスターが付いていても、付いていなくてもよい。
更に、上方がコーナ接続部を挟持するように接続された一体脚部は、その接続がコーナ接続部の両側、即ち、スポーツ用ネットの防護ネット面の表側と裏側に脚部が形成されておればよい。また、一体脚部に対して筋交(すじかい)状に補助鉄筋或いは別な管材を付加して溶接配置してもよい。
更にまた、上記係合受入部と上記係合嵌合部は、上記係合受入部がスポーツ用ネットの垂直辺の一方のフレームに配設されたもので、機械的強度の安定性からそのフレームの長さ方向に延びたものが望ましい。また、上記係合嵌合部は、隣接するスポーツ用ネットの前記垂直辺の一方のフレームの下部に配設され、前記係合受入部と嵌合し、１８０度以内の回動が自在な円筒孔であればよい。なお、円筒孔としたのは挿着状態で上から水滴等が入らない構造とすることができる。
【００１３】
加えて、上記９０度湾曲された他のコーナ接続部は、前記隣接するスポーツ用ネットの垂直辺の一方のフレーム端部を接続されると共に、前記隣接するスポーツ用ネットの底辺のフレームの端部と接続自在としたものであり、前記スポーツ用ネットと前記隣接するスポーツ用ネットは基本的に相違するものではないが、本発明においては、球を受けるティーネット、全面に網を張った防球ネット、機械的に球を供給するマシンネット等を複数枚使用してバッティングゲージとしたり、所定長のフェンスとしたりしてスポーツの補助用具として多目的に使用するものである。
【００１４】
なお、前記スポーツ用ネットの前記垂直辺の一方のフレームに配設された係合受入部と、隣接するスポーツ用ネットの前記垂直辺の一方のフレームに配設され、前記係合受入部と嵌合し、１８０度内の回動が自在な係合嵌合部とは、フレームに配設されることを前提に説明したが、前記コーナ接続部に設けることもできる。即ち、前記スポーツ用ネットの前記垂直辺の一方のフレームまたは前記コーナ接続部に配設された係合受入部と、隣接するスポーツ用ネットの前記垂直辺の一方のフレームまたは前記コーナ接続部に配設され、前記係合受入部と嵌合し、１８０度内の回動が自在な係合嵌合部との構成とすることができる。
【００１５】
請求項２の発明にかかるスポーツ用ネットの接続脚は、ボルト止め可能なスポーツ用ネット及び隣接するスポーツ用ネットの垂直辺のフレーム端部及び底辺のフレーム端部に棒鋼等の一部を挿入固着し、他部を突出させてなる前記棒鋼からなる突出部を形成し、前記突出部を前記コーナ接続部に挿入し、前記コーナ接続部に前記突出部を螺止するボルトを配設したものである。
ここで、スポーツ用ネットの種類に左右されることなく、垂直辺のフレーム端部及び底辺のフレーム端部に配設した棒鋼等からなる突出部は、ボルトによる螺止を行うとき、フレーム端部側を変形させることなく、かつ、コーナ接続部の端部側を変形させることがないように力の分散を行うことができ、かつ、堅固に固着可能となる。コーナ接続部の端部側の棒鋼等の挿入の深さは、湾曲による変化で棒鋼等の端部が停止できるようにするのが好適である。
【００１６】
請求項３の発明にかかるスポーツ用ネットの接続脚は、前記スポーツ用ネットの前記垂直辺の一方のフレームに配設された係合受入部、隣接するスポーツ用ネットの前記垂直辺の一方のフレームの下部に配設され、前記係合受入部と嵌合する係合嵌合部は、それらスポーツ用ネットまたは隣接するスポーツ用ネットの垂直辺のフレーム端部に固着した棒鋼及びそれらのフレーム端部と共に溶接したものである。
ここで、上記係合受入部は、スポーツ用ネットの垂直辺のフレームに配設されたもので、水平方向に離脱しない構造のものであればよく、特に、自重で相手を受けて結合を維持するものが望ましい。上記係合嵌合部は、隣接するスポーツ用ネットの前記垂直辺のフレームの下部に配設され、前記係合受入部と嵌合するものである。これら上記係合受入部及び上記係合嵌合部は、スポーツ用ネットまたは隣接するスポーツ用ネットの垂直辺のフレーム端部に固着した棒鋼及びそれらのフレーム端部と共に溶接することにより、３者を一体に溶接し、機械的強度を上げることが望ましい。
【００１７】
請求項４の発明にかかるスポーツ用ネットの接続脚の前記コーナ接続部を挟持するように接続された一体脚部は、その上端に棒鋼を挿入し、前記コーナ接続部の周囲に一体脚部のうちの一本の脚部及び前記棒鋼及び一体脚部農地の他の一本の脚部のうちの一本の脚部及び前記棒鋼を通り溶接したものである。
ここで、一体脚部の上端に挿入する棒鋼は、少なくとも溶接を行う距離だけは確保するのが望ましい。また、端部を溶接することにより、雨水が入り難くできる。
【発明の効果】
【００１８】
請求項１のスポーツ用ネットの接続脚におけるスポーツ用ネットの垂直辺の一方のフレーム端部を接続すると共に、前記スポーツ用ネットの底辺のフレームの一方の端部と接続自在とした９０度湾曲されたコーナ接続部と、下方が前記スポーツ用ネットの防護ネット面に対して表側と裏側に伸び、上方が前記コーナ接続部を挟持するように一体に接続された一体脚部は、１枚のスポーツ用ネットを立設させる場合に使用される。即ち、１枚のスポーツ用ネットは、１枚の防護用ネットと、その防護用ネットを張設する４本のフレームと、４個のコーナ接続部によって形成される。
これに対して、前記スポーツ用ネットの前記垂直辺のフレームに配設された係合受入部を設けておけば、隣接するスポーツ用ネットが必要なときには、隣接するスポーツ用ネットの垂直辺のフレームの下部に配設された１８０度の回動が自在な有底円筒の係合嵌合部とを嵌合させれば、スポーツ用ネットの追加接続が可能となる。このとき、１８０度の角度範囲で隣接可能であるから、２本、３本以上でも隣接して立設できるし、かつ、その隣接するスポーツ用ネット相互間の角度は、±９０度の変化を持たせることができる。少なくともスポーツ用ネットには１枚のスポーツ用ネット、１枚の防護用ネットと、その防護用ネットを張設する４本のフレームと、４個のコーナ接続部によって形成され、そこに２個を対とする一体脚部を有する基本的構成を具備するから、安全性の高いスポーツ用ネットの接続脚とすることができる。即ち、スポーツ用ネットは、１枚の防護用ネットと、その防護用ネットを張設する４本のフレーム及び２個を対とする一体脚部を含む４個のコーナ接続部を一体に組付けた状態を単位とするものであるから、複数枚設置する場合でも、また、単数毎であっても、設置が容易であり、格納容積をコンパクト化できる。また、隣接する防護用ネット面を１８０度以下の範囲で回動自在とすることもできる。そして、防護用ネットを分離することなく管理できる。
したがって、防護用ネットを分離することなく格納容積をコンパクト化でき、隣接する防護用ネット面を１８０度以下の範囲で回動自在とし、しかも、防護用ネットのような複雑な分離や、組付けの作業が伴わない。
【００１９】
請求項２のスポーツ用ネットの接続脚は、前記スポーツ用ネットの垂直辺のフレーム端部及び底辺のフレーム端部並びに前記隣接するスポーツ用ネットの垂直辺のフレーム端部及び底辺のフレーム端部には、ボルト止め可能なスポーツ用ネット及び隣接するスポーツ用ネットの垂直辺のフレーム端部及び底辺のフレーム端部に棒鋼の一部を挿入固着し、前記棒鋼の他部を突出させてなる突出部を形成し、前記突出部を螺止するボルトを配設したものであるから、請求項１に記載の効果に加えて、前記スポーツ用ネットの垂直辺のフレーム端部及び底辺のフレーム端部並びに前記隣接するスポーツ用ネットの垂直辺のフレーム端部及び底辺のフレーム端部がボルト締めによって堅固に固着され、前記スポーツ用ネット及び前記隣接するスポーツ用ネットが堅固に構成できる。
【００２０】
請求項３のスポーツ用ネットの接続脚は、前記スポーツ用ネットの前記垂直辺の一方のフレームの下部に配設された係合受入部、隣接するスポーツ用ネットの前記垂直辺の一方のフレームの下部に配設され、前記係合受入部と嵌合する係合嵌合部は、それらスポーツ用ネットまたは隣接するスポーツ用ネットの垂直辺のフレーム端部に固着した棒鋼及びそれらのフレーム端部と共に溶接したものであるから、請求項１または請求項２に記載の効果に加えて、前記係合受入部と前記係合嵌合部は限られたフレームの肉厚との溶接だけでなく、フレーム内部の棒鋼との溶接により、堅固な溶接の仕上がりが得られる。
【００２１】
請求項４のスポーツ用ネットの接続脚の前記コーナ接続部を挟持するように接続された一体脚部は、その上端に棒鋼を挿入し、前記コーナ接続部の周囲に一体脚部のうちの１本の脚部及び前記棒鋼及び一体脚部のうちの他の１本の脚部及び前記棒鋼を介して溶接したものであるから、請求項１乃至請求項３の何れか１つに記載の効果に加えて、前記コーナ接続部の周囲及び前記一体脚部及び前記一体脚部の上端に挿入する棒鋼は、溶接によって一体化されるから、一体化される溶接部分の機械的強度が高くなる。また、前記一体脚部の上端を溶接することにより、雨水が入らなくなり、錆び難くなる。
【図面の簡単な説明】
【００２２】
【図１】図１は本発明の実施の形態のスポーツ用ネットの接続脚を使用した３面ネットで一式とした使用例の説明図である。
【図２】図２は図１に示した本発明の実施の形態のスポーツ用ネットの接続脚を使用して展開した３面ネットの展開を示す使用例の説明図である。
【図３】図３は本発明の実施の形態のスポーツ用ネットの接続脚を防球ネットに使用して展開配置した３面ネットの使用例の説明図である。
【図４】図４は本発明の実施の形態のスポーツ用ネットの接続脚を３面ネットの使用によってバッテングエリアを確保した例の説明図である。
【図５】図５は本発明の実施の形態のスポーツ用ネットの接続脚の展開を示す斜視図である。
【図６】図６は本発明の実施の形態のスポーツ用ネットの接続脚の斜視図を説明するもので、(ａ)はその基準となる脚のみであり、(ｂ)は更にフレームを組付ける場合の脚を示すものである。
【図７】図７は本発明の実施の形態のスポーツ用ネットの接続脚の全体を示す斜視図である。
【図８】図８は本発明の実施の形態のスポーツ用ネットの接続脚の接続を説明する説明図で、(ａ)はコーナ接続部についての説明であり、(ｂ)はスポーツ用ネットの接続脚の説明図である。
【発明を実施するための形態】
【００２３】
以下、本発明の実施の形態について、図面に基づいて説明する。
なお、各実施の形態において、図示の同一記号及び同一符号は、同一または相当する機能部分であるから、ここではそれらの重複説明を省略する場合がある。また、本発明のスポーツ用ネットの接続脚は、通常、スポーツ用ネットの一方または両方に設けて使用するが、説明的には、一方にのみ形成されている事例として説明する。しかし、本発明を実施する場合には、片側または両側のいずでも設置可能であり、使用しやすさからすれば左右の対称性を有するのが望ましい。
【００２４】
まず、本発明の実施の形態のスポーツ用ネットの接続脚について説明する。
図１は中央にティーネット２０、その片側に防球ネット３０、反対側の片側にマシンネット１０を配設してなる３面ネットの一式である。図示右側に配設したマシンネット１０は、全面に防護ネット１１取付ロープ１４によって張設されている。防護ネット１１の中央のボール供給開口部１２から図示しないトスバッテング用マシンによってボールの供給を受け、打者がティーネット２０側に打球を飛ばすものである。なお、本発明の実施の形態のスポーツ用ネットの接続脚は、図１のティーネット２０の両側のコーナ接続部２６ａ側及びコーナ接続部２６ｂ側に配設されている。
ここで、マシンネット１０、ティーネット２０、防球ネット３０は、その種類を特定しないときには、スポーツ用ネットとして区別なく全体を含む場合がある。例えば、図２の場合は、ボール供給開口部１２を他の補助網１３で塞いでおり、実質的に防球ネット３０として使用している。
【００２５】
ティーネット２０には、全面に防護ネット２１が張設され、打球を受けて集める収集ネット２２が配設されている。打球を受けたボールのエネルギを低下させるために、高速で飛ぶボールがネットに衝突し、急激に速度エネルギを低下させ、袋状部２３に収集されるようになっている。したがって、打者がティーネット２０側に打球を飛ばしても、通常は、収集ネット２２内で衝突し、その速度エネルギを失って袋状部２３に収集されるので、ボールが跳ね返ってくることがない。仮に、収集ネット２２外の防護ネット２１に衝突しても、防護用ネット２１の反発係数が小さいから、打者が打った打球が防護用ネット２１に衝突し、打者まで跳ね返ることはない。
また、防球ネット３０は、全面に防護ネット３１が張設されたもので、防護用ネット２１の反発係数が小さく設定されているから、打者が打った打球が大きく跳ね返ることはない。
【００２６】
本実施の形態で図１をマシンネット１０、ティーネット２０、防球ネット３０を設置できるようにした構成を３面ネットの一式としているのは、一般的使用方法及び商品としての呼称であり技術的には意味がない。例えば、３面が防球ネット３０で構成される場合もあるし、ティーネット２０のみを防球ネット３０に代える場合もある。また、立設したマシンネット１０、ティーネット２０、防球ネット３０等の開度(設置角度)についても中央のスポーツ用ネット(マシンネット１０、ティーネット２０、防球ネット３０)に対して直角に隣接するスポーツ用ネットを配設する場合、横列に設置する場合がある。
なお、スポーツ用ネットを横列に設置する場合、或いはジグザグに設置する場合には、格納の意味で小容積とする場合がある。
【００２７】
また、図１の３面ネットの一式では、打者がティーネット２０に向かって打撃練習を行う事例で説明したが、ティーネット２０を背にして、左利きまたは右利きの利き手に従って、右側または左側にマシンネット１０を設置し、３面ネットがない開放側に打撃練習を行うこともできる。
即ち、マシンネット１０、ティーネット２０、防球ネット３０からなるスポーツ用ネットは、必要に応じて設置することができるものである。また、ピッチングマシンを保護するようにスポーツ用ネットで囲み設置することもできる。
そして、このスポーツ用ネットは投球練習する投手の背後に１〜３枚設置し、打者のみでなく、投手の保護として使用することもできる。即ち、マシンネット１０、ティーネット２０、防球ネット３０からなる本実施の形態のスポーツ用ネットは、野球またはソフトボールの場合には、打者、捕手、投手の保護とすることができるし、また、ゴルフの練習に使用する場合には、プレーヤーが目の細かいティーネット２０側に打てばよい。このように、野球、テニス、ソフトボール、ゴルフ等の球技の練習用として従来のものと同様に使用できる。
【００２８】
マシンネット１０、ティーネット２０、防球ネット３０からなるスポーツ用ネットは、４隅を面取りした４角形のフレームで形成され、四角形のフレームは４本の直線からなるフレーム１５ａ，１５ｂ，１５ｃ，１５ｄと、フレーム２５ａ，２５ｂ，２５ｃ，２５ｄと、フレーム３５ａ，３５ｂ，３５ｃ，３５ｄと、４隅に位置するコーナ接続部１６ａ，１６ｂ，１６ｃ，１６ｄ、コーナ接続部２６ａ，２６ｂ，２６ｃ，２６ｄ、コーナ接続部３６ａ，３６ｂ，３６ｃ，３６ｄと、及び防護ネット１１、２１、３１で構成されており、ボール供給開口部１２、収集ネット２２を除いた構成は、防球ネット３０の形状が基本的形態になるので、以下の説明は、図を用いて防球ネット３０の事例を中心に説明する。
【００２９】
図２及び図３に示すように、フレーム３５ａ，３５ｂ，３５ｃ，３５ｄは、金属製のパイプ材からなりここでは３８φｍｍを使用したが、本発明を実施する場合には、２０〜５０φの範囲内が使用に適している。長さは２．５ｍとしたが、分解及び設置等を考慮すると３ｍ程度までの長さ、具体的には２．７ｍが好適である。また、コーナ接続部３６ａ，３６ｂ，３６ｃ，３６ｄは、直角と見做したとき１５ｃｍの両辺の曲げを行っている。即ち、フレーム３５ａ，３５ｂ，３５ｃ，３５ｄは、コーナ接続部３６ａ，３６ｂ，３６ｃ，３６ｄが接続され、４辺が３ｍの全フレーム構成となる。全フレーム構成の全面に張設する防護ネット３１は、張設した状態で４辺が３ｍの長さを有している。防護ネット３１は、取付ロープ３４によって防球ネット３０の全フレームに取付けられている。なお、防護ネット１１は、取付ロープ１４によってマシンネット１０のフレームに取付けられ、防護ネット２１は、取付ロープ２４によってティーネット２０のフレームに取付けられる。
なお、図２及び図３に示す本発明の実施の形態は、防球ネット３０のティーネット２０側と、マシンネット１０のティーネット２０側に配設されている。また、図４に示す本発明の実施の形態は、防球ネット３０のマシンネット１０側と、ティーネット２０のマシンネット１０側に配設されている。
【００３０】
図５及び図７は本発明の実施の形態のスポーツ用ネットの接続脚が、図１のティーネット２０のコーナ接続部２６ｂと防球ネット３０のコーナ接続部３６ａ側に配設される事例で、図６は防球ネット３０のコーナ接続部３６ｂ側に配設される一体脚部４０の事例である。
図５乃至図７において、コーナ接続部３６ａ，３６ｂ，３６ｃ，３６ｄは、スポーツ用ネットの各隅に配設されるもので、上辺のフレーム３５ｃのフレーム端部はコーナ接続部３６ｃ，３６ｄに接続される。コーナ接続部３６ｃ，３６ｄは、スポーツ用ネットの上辺のフレーム３５ｃのフレーム端部を接続自在とした９０度湾曲されたものである。また、コーナ接続部３６ｃ，３６ｄには、図１に示すように、特定の間隔を支持する間隔設定部材７０に接続される。コーナ接続部３６ｃ，３６ｄには、間隔設定部材７０の左右設定孔７１Ｌ,７１Ｒに接続される突出材１５ｄ２，３５ｄ１(図２参照)を有している。この間隔設定部材７０は全フレームによって正立方体を形成する場合に使用され、スポーツ用ネットの開口角度が変化しないようにし、全体の機械的強度を高める機能を有しているが、スライド材とそれを止める固定材料によって任意の角度に調節することもできる。
【００３１】
コーナ接続部３６ｃの下にはフレーム３５ｂが、コーナ接続部３６ｄの下にはフレーム３５ｄが接続され、更に、フレーム３５ｂの他端はコーナ接続部３６ｂが、フレーム３５ｄの他端はコーナ接続部３６ａが接続され、そして、コーナ接続部３６ａの他端とコーナ接続部３６ｂの他端には、フレーム３５ａが接続される。
ここで、図６(ａ)に示すスポーツ用ネットの接続脚の斜視図に示すように、コーナ接続部３６ｂには、下方がスポーツ用ネットの面に対して表側と裏側、即ち、フレーム３５ａの直角方向に伸び、上方がコーナ接続部３６ｂを挟持するように上に伸びてコーナ接続部３６ｂと溶接によって一体に接続された脚部４１及び脚部４２とからなる一体脚部４０を構成している。防球ネット３０のフレーム３５ａの一方の端部には、一体脚部４０が配設されている。なお、一体脚部４０はコーナ接続部３６ｂに溶接された脚部４１及び脚部４２とから構成されており、一体脚部４０の機能のみでは、隣接するスポーツ用ネットとの接続は困難である。
【００３２】
一体脚部４０を構成する脚部４１は、水平部４１ａと垂直部４１ｂとで構成され、脚部４２も、水平部４２ａと垂直部４２ｂとで構成されている。ここで、直線的な垂直部４１ｂと垂直部４２ｂには、その内径に等しいか、略等しい外径の図示しない棒鋼を挿入している(技術的には図８を参照されたい)。その長さは、挿着された上端が垂直部４１ｂまたは垂直部４２ｂの端面に等しいか、端面から数ミリ以上突出した構造となっている。そして、垂直部４１ｂと垂直部４２ｂの端面が溶接により一体化される。このとき、好ましくは、直線的な垂直部４１ｂと垂直部４２ｂにスリットを入れて、縦方向に垂直部４１ｂと棒鋼と、垂直部４２ｂと棒鋼とを溶接し、コーナ接続部３６ｂを挟持するように溶接するのが機械的強度を上げる方法として望ましい。
【００３３】
また、一体脚部４０を構成する脚部４１と脚部４２の水平部４１ａと水平部４２ａの端部は、合成樹脂製のキャップ４３を被せている。この合成樹脂製のキャップ４３は、雨水の侵入により、一体脚部４０が腐食するのを防止するようにシール性を高くしている。勿論、棒鋼を溶接してシール性を高めてもよいし、一体脚部４０を構成する脚部４１と脚部４２の水平部４１ａと水平部４２ａの端部のみを圧縮し、そこに雨水が入らないように閉鎖することもできる。
【００３４】
図７に示すように、コーナ接続部３６ａには、スポーツ用ネットの防護ネット３１面に対して表側と裏側、即ち、フレーム３５ａの直角方向に伸び、上方に湾曲してコーナ接続部３６ａを挟持するように伸びて溶接され、コーナ接続部３６ａと一体に接続された脚部４１及び脚部４２とからなる一体脚部４０を構成している。また、本実施の形態では、フレーム３５ｄには係合受入部５０が配設され、隣接するスポーツ用ネットのフレーム２５ｂには係合嵌合部６０が配設されている。
なお、本実施の形態のスポーツ用ネットの接続脚は、これらコーナ接続部３６ａ、脚部４１及び脚部４２とからなる一体脚部４０、フレーム３５ｄに配設した係合受入部５０、隣接するスポーツ用ネットのフレーム２５ｂに配設した係合嵌合部６０によって構成されている。
【００３５】
一体脚部４０を構成する脚部４１は、水平部４１ａと垂直部４１ｂとで構成され、脚部４２も、水平部４２ａと垂直部４２ｂとで構成されている。ここで、直線的な垂直部４１ｂと垂直部４２ｂには、その内径に等しいか、略等しい外径の棒鋼を挿入している。その長さは、垂直部４１ｂと垂直部４２ｂの端面に等しいか、端面から数ミリ以上突出した構造となっている。そして、垂直部４１ｂと垂直部４２ｂの端面が溶接により一体化され、また、好ましくは、直線的な垂直部４１ｂと垂直部４２ｂにスリットを入れて、縦方向に垂直部４１ｂと棒鋼と垂直部４２ｂと棒鋼とを溶接し、コーナ接続部３６ｂを挟持するように溶接するのが望ましい。
【００３６】
図７に示すように、スポーツ用ネットの垂直辺の一方のフレーム３５ｄの下部位置、通常、フレーム３５ｄの端部から１０ｃｍ程度よりも端部側に係合受入部５０が配設される。係合受入部５０は基本形状をＬ字状としており、フレーム３５ｄからの離間距離を設定し、回動角度及び係合嵌合部６０との接触を防止する離間部材５１と、その離間部材５１と接続された丸棒(棒鋼)からなる支承部材５２で形成されている。この離間部材５１は係合嵌合部６０からの荷重が加わるので、尖軸またはピボット軸の形態にするのが望ましいが、回動を頻繁に行うものでない場合には、それを考慮する必要性はない。
【００３７】
係合受入部５０は係合嵌合部６０が被る離間部材５１を有しており、隣接するスポーツ用ネットの垂直辺の一方のフレーム２５ｂに配設され、離間部材５１と嵌合し、係合受入部５０との関係で、スポーツ用ネットは隣接するスポーツ用ネットとしてのマシンネット１０、ティーネット２０、防球ネット３０に対して１８０度内の回動が自在な円筒孔となっている。即ち、一体脚部４０を構成する脚部４１と脚部４２に対して、±９０度変化することになる。
係合嵌合部６０は有底円筒であり、離間部材５１にティーネット２０の荷重を受けるので、堅固な構造とするのが望ましい。本実施の形態では、防球ネット３０のフレーム３５ｄの上部及びティーネット２０のフレーム２５ｂの上部にも、係合受入部５０と係合嵌合部６０を設け、ティーネット２０の荷重を分配している。
なお、係合嵌合部６０は基本形状をＬ字状としており、フレーム２５ｂからの離間距離を離間部材６１で設定し、その離間部材６１と接続された丸棒(棒鋼)からなる嵌合部材６２で形成されている。
【００３８】
このように構成した本実施の形態のスポーツ用ネットの接続脚は、防球ネット３０としてスポーツ用ネットの垂直辺の一方のフレーム３５ｄの端部と接続すると共に、防球ネット３０の底辺の一方のフレーム３５ａの端部とを接続自在とした９０度湾曲するコーナ接続部３６ａと、下方が防球ネット３０の面に対して表側と裏側に伸び、上方がコーナ接続部３６ａを挟持するように上に伸びてコーナ接続部３６ａと一体に接続された一体脚部４０と、防球ネット３０の垂直辺の一方のフレーム３５ｄに配設された係合受入部５０と、隣接するスポーツ用ネットとしてのティーネット２０の垂直辺の一方のフレーム２５ｂに配設され、係合受入部５０と嵌合し、１８０度内の回動が自在な円筒孔の係合嵌合部６０とを具備している。
【００３９】
ここで、防球ネット３０の垂直辺のフレーム３５ｄに配設された係合受入部５０と、隣接するスポーツ用ネットとしてのティーネット２０の垂直辺のフレーム２５ｂに配設された係合受入部５０は嵌合し、ティーネット２０側が１８０度内の回動が自在となる。このとき、防球ネット３０には一体脚部４０が配設され、その底面とティーネット２０の垂直辺のフレーム２５ｂの底面が同一または略同一であるから、スポーツ用ネットとしての防球ネット３０と隣接するスポーツ用ネットとしてのティーネット２０が一直線でないときには、一体脚部４０が配設されないマシンネット１０、ティーネット２０、防球ネット３０からなるスポーツ用ネットは、底辺のフレーム１５ａ，２５ａ，３５ａは脚部として機能する。
【００４０】
この構成により、防球ネット３０の一方は図６に示した１対の一体脚部４０のみで立設することができる。その立設した防球ネット３０に対して、防球ネット３０のフレーム３５ｄに配設された係合受入部５０と、ティーネット２０のフレーム２５ｂに配設された係合嵌合部６０とを挿着状態とすることにより、ティーネット２０の片側が立設される。したがって、ティーネット２０の他の底辺のフレーム２５ａに配設された先端を、図６(ａ)に示す一体脚部４０で立設するか、図７に示す一体脚部４０を用いた本実施の形態のスポーツ用ネットの接続脚で順次接続することができる。
図７に示すスポーツ用ネットの接続脚で順次接続しておけば、ジグザグに折り畳む格納方法も選択できるし、何枚かのスポーツ用ネットを立設し、そのうちの何枚かを９０度の角度で立設することもできる。これも格納方法の一つである。
【００４１】
このとき、防球ネット３０とティーネット２０は、防球ネット３０のフレーム３５ｄに対して±９０度の回動が自在、即ち、防球ネット３０に対して１８０度の範囲内でティーネット２０の設置が可能である。
しかし、コーナ接続部３６ａの上部からフレーム３５ｄの突出部８１がコーナ接続部３６ａの垂直部分に挿入され、それがボルト８２で締め付けられていないときには、仮にティーネット２０のコーナ接続部２６ｂのボルト８２で締め付けられていても、そのボルト８２のねじ込み深さが短いので、ボルト頭部が衝突し、自在に回動できなくなる。したがって、組立ての際には、ティーネット２０の回動を確認することによって、両者のボルト８２とボルト８２の締付け具合を確認できる。
【００４２】
また、マシンネット１０、ティーネット２０、防球ネット３０からなるスポーツ用ネットを隣接して設置する場合には、隣接するスポーツ用ネットとの間隔を１５〜３０ｍｍ以下にすることにより、硬式野球のボールからゴルフボールに至るまでを通さないようにすることができる。そして、マシンネット１０、ティーネット２０、防球ネット３０からなるスポーツ用ネットは、その底辺のフレーム１５ａ，２５ａ，３５ａを一体脚部４０の水平部４１ａ及び水平部４２ａと同一面としたものであるから、係合受入部５０と係合嵌合部６０との接続部に全体の荷重が加わることはない。
本発明を実施する場合には、隣接するスポーツ用ネットが±９０度以内の変化をすればよいから、係合受入部５０の離間部材５１及び支承受材５２、係合嵌合部６０の離間部材６１及び嵌合部材６２、特に、離間部材５１と離間部材６１によって設定できる。
【００４３】
そして、隣接するマシンネット１０、ティーネット２０、防球ネット３０からなるスポーツ用ネットは、少なくとも末端はスポーツ用ネットに対して直角に一体脚部４０が設置できるから、安定し立設状態が維持できる。
更に、マシンネット１０、ティーネット２０、防球ネット３０からなるスポーツ用ネットの垂直辺のフレーム３５ｂ，３５ｄの端部及び底辺のフレーム３５ａの端部並びに隣接するティーネット２０の垂直辺のフレーム２５ｂ，２５ｄの端部及び底辺のフレーム２５ａの端部には、図８に示すように、ボルト８２で固着可能なスポーツ用ネット及び隣接するスポーツ用ネットの垂直辺のフレーム２５ｂ，２５ｄの端部及び底辺のフレーム２５ａの端部に棒鋼の一部を固着し、他部を突出させてなる突出部８１を形成し、突出部８１を螺止するボルト８２を配設したものであるから、堅固にスポーツ用ネットが構成される。
なお、図８（ａ）は本発明の実施の形態が図１の防球ネット３０のコーナ接続部３６ａの接続事例であり、図８（ｂ）は防球ネット３０のコーナ接続部３６ａとティーネット２０のコーナ接続部２６ｂとの接続事例である。
【００４４】
上記実施の形態のスポーツ用ネットの接続脚は、マシンネット１０、ティーネット２０、防球ネット３０からなるスポーツ用ネットの垂直辺のフレーム１５ｂ，１５ｄ、２５ｂ，２５ｄ、３５ｂ，３５ｄに配設された係合受入部５０、隣接するスポーツ用ネットの垂直辺のフレーム１５ｂ，１５ｄ、２５ｂ，２５ｄ、３５ｂ，３５ｄに配設され、係合受入部５０と嵌合する係合嵌合部６０は、それらスポーツ用ネットまたは隣接するスポーツ用ネットの垂直辺のフレーム１５ｂ，１５ｄ、２５ｂ，２５ｄ、３５ｂ，３５ｄの端部に固着した棒鋼からなる突出部８１及びそれらのフレーム１５ｂ，１５ｄ、２５ｂ，２５ｄ、３５ｂ，３５ｄの端部と共に溶接したものである。
【００４５】
したがって、係合受入部５０と係合嵌合部６０は限られたフレーム１５ｂ，１５ｄ、２５ｂ，２５ｄ、３５ｂ，３５ｄの肉厚との溶接だけでなく、フレーム１５ｂ，１５ｄ、２５ｂ，２５ｄ、３５ｂ，３５ｄの内部の棒鋼等の突出部８１との溶接により、堅固な溶接の仕上がりが得られる。
フレーム１５ｂ，１５ｄ、２５ｂ，２５ｄ、３５ｂ，３５ｄの内部に挿入さける棒鋼は、フレーム１５ｂ，１５ｄ、２５ｂ，２５ｄ、３５ｂ，３５ｄと棒鋼とが溶接できるように貫通孔を設けるか、溶接温度を上げることが望ましい。発明者らは、フレーム１５ｂ，１５ｄ、２５ｂ，２５ｄ、３５ｂ，３５ｄに貫通孔を設けてその周囲から溶接を行った。
【００４６】
上記実施の形態のスポーツ用ネットの接続脚は、マシンネット１０、ティーネット２０、防球ネット３０からなるスポーツ用ネットの垂直辺のフレーム１５ｂ，１５ｄ、２５ｂ，２５ｄ、３５ｂ，３５ｄの端部を接続すると共に、スポーツ用ネットの底辺のフレーム１５ａ，２５ａ、３５ａの端部と接続するコーナ接続部１６ａ，１６ｂ、２６ａ，２６ｂ、３６ａ，３６ｂのボルト位置は、前記隣接するスポーツ用ネットの垂直辺のフレーム１５ｂ，１５ｄ、２５ｂ，２５ｄ、３５ｂ，３５ｄの端部を接続する他のコーナ接続部のボルト８１の位置を同一高さ位置としたものである。
したがって、両方のボルト８２が適正に締め付けられたときのみ、その回動を許容するものであり、適正に締め付けられていないとき、両方のボルト８２の当接により回動ができなくしたものであるから、締め付け信頼性を確認できる。
【００４７】
上記実施の形態のスポーツ用ネットの接続脚は、マシンネット１０、ティーネット２０、防球ネット３０からなるスポーツ用ネットのコーナ接続部３６ａを挟持するように接続された一体脚部４０は、その上端に棒鋼を挿入し、コーナ接続部３６ａの周囲に一体脚部４０のうちの１本の脚部４１及び前記棒鋼から突出部８１及び一体脚部４０のうちの他の１本の脚部４２及び棒鋼から突出部８１を含み溶接したものである。
したがって、コーナ接続部３６ａの周囲及び一体脚部４０及び一体脚部４０の上端に挿入する棒鋼からなる突出部８１は、溶接によって一体化されるから、一体化される溶接の機械的強度が高くなる。また、一体脚部４０の上端を溶接することにより、雨水が入らなくなり、錆び難いことになる。
【００４８】
上記実施の形態のスポーツ用ネットの接続脚は、図７及び図８に示すように、係合受入部５０と係合嵌合部６０は、フレーム１５ｂ，１５ｄ、２５ｂ，２５ｄ、３５ｂ，３５ｄに配設されているが、図８からも分るように、フレーム１５ｂ，１５ｄ、２５ｂ，２５ｄ、３５ｂ，３５ｄに係合受入部５０と係合嵌合部６０を設けることに限定されるものではなく、コーナ接続部１６ａ，２６ａ，３６ａと他のコーナ接続部１６ｂ，２６ｂ，３６ｂの図示のボルト８２の位置に、係合受入部５０または係合嵌合部６０を設けてもよい。
即ち、コーナ接続部２６ｂとコーナ接続部３６ａに対して、図８(ｂ)に示すボルト８２の位置に係合受入部５０または係合嵌合部６０を設けても実施できる。当然ながら、このとき配設するボルト８２は、９０度回動した位地とするのが望ましい。
【００４９】
このように構成した本実施の形態のスポーツ用ネットの接続脚は、防球ネット３０としてのスポーツ用ネットの垂直辺の１５ｂ，１５ｄ、２５ｂ，２５ｄ、３５ｂ，３５ｄの端部と接続すると共に、防球ネット３０としてのスポーツ用ネットの底辺の一方のフレーム１５ａ，２５ａ，３５ａの端部とを接続自在とした９０度湾曲するコーナ接続部１６ａ，２６ａ，３６ａと、下方がティーネット２０の面に対して表側と裏側に伸び、上方がコーナ接続部２６ｂを挟持するように上に伸びてコーナ接続部３６ａと一体に接続された一体脚部４０と、防球ネット３０の垂直辺の一方のコーナ接続部３６ａに配設された係合受入部５０と、隣接するスポーツ用ネットとしてのティーネット２０の垂直辺の一方のコーナ接続部２６ｂに配設され、係合受入部５０と嵌合し、１８０度内の回動が自在な円筒孔の係合嵌合部６０とする構成で表現できる。
【００５０】
この構成においても、防球ネット３０の一方は図６に示した１対の一体脚部４０のみで立設することができる。その立設した防球ネット３０に対して、防球ネット３０のコーナ接続部３６ａに配設された係合受入部５０と、ティーネット２０のコーナ接続部２６ｂに配設された係合嵌合部６０とを挿着状態とすることにより、ティーネット２０の片側が立設される。したがって、ティーネット２０の他の底辺のフレーム２５ａに配設された先端を、図７に示す一体脚部４０を用いた本実施の形態のスポーツ用ネットの接続脚で順次接続することができる。
【００５１】
また、本実施の形態では、図８(ｂ)のように、防球ネット３０のコーナ接続部３６ａに配設された係合受入部５０と、ティーネット２０のコーナ接続部２６ｂに配設された係合嵌合部６０とを挿着状態とすれば、マシンネット１０、ティーネット２０、防球ネット３０からなるスポーツ用ネットを連続配置でき、防球ネット３０のコーナ接続部３６ｄに配設された係合受入部５０と、ティーネット２０のコーナ接続部２６ｂに配設された係合嵌合部６０とを分離状態とし、図６(ａ)に示す一体脚部４０を接続すれば、スポーツ用ネットとしてマシンネット１０、ティーネット２０、防球ネット３０を独立させることができる。この状態で自立できるので、自立格納することができる。
【００５２】
防球ネット３０のフレーム３５ｄに配設された係合受入部５０と、ティーネット２０のフレーム２５ｂに配設された係合嵌合部６０と、防球ネット３０のコーナ接続部３６ａに配設された係合受入部５０と、ティーネット２０のコーナ接続部２６ｂに配設された係合嵌合部６０では、マシンネット１０、ティーネット２０、防球ネット３０からなるスポーツ用ネットの荷重がコーナ接続部３６ｄとコーナ接続部２６ｂに加わるから、コーナ接続部３６ｄとコーナ接続部２６ｂの補強のみで機械的強度を向上させることができる。
【００５３】
本発明を実施する場合のスポーツ用ネットは、マシンネット１０、ティーネット２０、防球ネット３０等の連接に使用されるものであり、対象をマシンネット１０、ティーネット２０、防球ネット３０と特定されるものでなく、何れのネットにも使用できる。また、本実施の形態のスポーツ用ネットの接続脚は、対象をマシンネット１０、ティーネット２０、防球ネット３０の片側に配設することもできるし、両側に配設することもできる。
そして、スポーツ用ネットの垂直辺の１５ｂ，１５ｄ、２５ｂ，２５ｄ、３５ｂ，３５ｄの下端部に係合受入部５０と係合嵌合部６０の対を設けておくことにより、スポーツ用ネットが自由に隣接して複数枚が接続できる。即ち、マシンネット１０、ティーネット２０、防球ネット３０等に限定されることなく、スポーツ用ネットの垂直辺の１５ｂ，１５ｄ、２５ｂ，２５ｄ、３５ｂ，３５ｄの下端部に係合受入部５０と係合嵌合部６０の対を設けておけばよい。
【００５４】
例えば、図１の実施の形態においては、対象をマシンネット１０と防球ネット３０のティーネット２０側に本実施の形態のスポーツ用ネットの接続脚を設ければ、その中央のティーネット２０には、一体脚部４０の配設がない接続となる。また、対象をマシンネット１０と防球ネット３０のティーネット２０側に本実施の形態のスポーツ用ネットの一方のみを一体脚部４０とし、他方を実施の形態のスポーツ用ネットの接続脚とすることもできる。
そして、本実施の形態では、１５ｂ，１５ｄ、２５ｂ，２５ｄ、３５ｂ，３５ｄの上下端部に係合受入部５０と係合嵌合部６０の対を設けているが、一方を市販のクランプとすることもできる。
【符号の説明】
【００５５】
１０    マシンネット(スポーツ用ネット)
１１，２１，３１    防護ネット
２０    ティーネット(スポーツ用ネット)
２２    収集ネット
３０    防球ネット(スポーツ用ネット)
１５ａ，１５ｂ、１５ｃ，１５ｄ    マシンネットのフレーム
１６ａ，１６ｂ、１６ｃ，１６ｄ    マシンネットのコーナ接続部
２５ａ，２５ｂ、２５ｃ，２５ｄ    ティーネットのフレーム
２６ａ，２６ｂ、２６ｃ，２６ｄ    ティーネットのコーナ接続部
３５ａ，３５ｂ、３５ｃ，３５ｄ    防球ネットのフレーム
３６ａ，３６ｂ、３６ｃ，３６ｄ    防球ネットのコーナ接続部
５０    係合受入部
５１    離間部材
５２    支承受材
６０    係合嵌合部
６１    離間部材
６２    嵌合部材
８１    突出部
８２    ボルト
【図１】
2015043934.tif 000003
【図２】
2015043934.tif 000004
【図３】
2015043934.tif 000005
【図４】
2015043934.tif 000006
【図５】
2015043934.tif 000007
【図６】
2015043934.tif 000008
【図７】
2015043934.tif 000009
【図８】
2015043934.tif 000010